(57)【特許請求の範囲】
【請求項１】
複数の住居棟と、前記各住居棟と通信可能な集中棟とで構成される集合住宅に用いられるインターホンシステムであって、
前記住居棟の各々には、
各居室に設置される居室親機と、
前記居室親機と通信可能な複数の端末機器と、
自棟内の前記各居室の居室親機と前記複数の端末機器とを通信可能に接続する棟制御機と、
が備えられ、
前記棟制御機は、
前記集中棟から前記棟制御機を介して前記居室親機が呼び出される際に、前記集中棟が前記棟制御機を認識するのに用いられる第一識別情報と、
前記集中棟から前記棟制御機を介して前記居室親機が呼び出される際に、前記居室親機が前記棟制御機を前記複数の端末機器とは異なる仮想の端末機器として認識するのに用いられる第二識別情報と、を有している、
インターホンシステム。
【請求項２】
前記棟制御機は、インターホン回線を介して自棟内の前記各居室の居室親機と前記複数の端末機器とを通信可能に接続するように構成されており、
前記複数の住居棟及び前記集中棟は、汎用プロトコルに従って通信が行われるネットワークを介して互いに接続されている、
請求項１に記載のインターホンシステム。
【請求項３】
前記複数の住居棟の各々の前記棟制御機は、
自棟内の前記インターホン回線を通信可能な信号を、前記汎用プロトコルに従って前記ネットワークで通信可能な信号に変換処理する第一変換部と、
前記汎用プロトコルに従って前記ネットワークで通信可能な信号を、自棟内の前記インターホン回線で通信可能な信号に変換処理する第二変換部と、
を有する、
請求項２に記載のインターホンシステム。
【請求項４】
前記複数の端末機器は、集合玄関機を含み、
前記第二識別情報は、前記集中棟から前記棟制御機を介して前記居室親機が呼び出される際に、前記居室親機が前記棟制御機を前記集合玄関機とは異なる仮想の集合玄関機として認識するのに用いられる、
請求項１から請求項３のいずれか一項に記載のインターホンシステム。
【請求項５】
前記複数の端末機器は、管理室親機を含み、
前記棟制御機は、前記集中棟から前記棟制御機を介して前記管理室親機が呼び出される際に、前記管理室親機が前記棟制御機を前記管理室親機とは異なる仮想の管理室親機として認識するのに用いられる第三識別情報を有している、
請求項１から請求項４のいずれか一項に記載のインターホンシステム。
【請求項６】
請求項１から請求項５のいずれか一項に記載の前記第一識別情報および前記第二識別情報を有する、棟制御機。
【発明の詳細な説明】
【技術分野】
【０００１】
本発明は、集合住宅に用いられるインターホンシステムおよびインターホンシステムに搭載される棟制御機に関するものである。
【背景技術】
【０００２】
従来、複数の住居棟と集中棟とで構成される集合住宅向けのインターホンシステムがある。例えば、特許文献１のインターホンシステムでは、各住居棟と接続されるとともに集中棟に設置された棟制御機が、各住居棟からの呼出信号等を集中して管理する集中型のシステム構成となっている。この構成では、住居棟の数が増えると、その増加数に連動させて、制御機の処理能力を高めなければならず、コストが増えてしまう。そこで、呼出信号を管理する集中棟の棟制御機の機能を、各住居棟の棟制御機や、集合玄関機、管理室親機などに分散させた分散型のインターホンシステムがある。
【先行技術文献】
【特許文献】
【０００３】
【特許文献１】日本国特開２００４−２６０６７９号公報
【発明の概要】
【発明が解決しようとする課題】
【０００４】
居室親機は、住居棟を構成する各居室に設置されるため、インターホンシステムを構成する端末機器の中で最も台数が多い。このため、居室親機を、集中型のインターホンシステムと分散型のインターホンシステムとで兼用することができると、コスト的に望ましく、また、居室親機の商品種別数が増えることを抑制することができる。
しかし、集中型のインターホンシステム用に設計された従来の居室親機は、分散型のインターホンシステム用に設計された棟制御機を認識することができない。このため、従来の居室親機は、分散型のインターホンシステムで兼用することができないものであった。【０００５】
そこで、本発明は、従来の居室親機を分散型のインターホンシステムでも兼用することが可能な棟制御機およびインターホンシステムを提供することを目的とする。
【課題を解決するための手段】
【０００６】
上記目的を達成するために、本発明のインターホンシステムは、
複数の住居棟と、前記各住居棟と通信可能な集中棟とで構成される集合住宅に用いられるインターホンシステムであって、
前記住居棟の各々には、
各居室に設置される居室親機と、
前記居室親機と通信可能な複数の端末機器と、
自棟内の前記各居室の居室親機と前記複数の端末機器とを通信可能に接続する棟制御機と、
が備えられ、
前記棟制御機は、
前記集中棟から前記棟制御機を介して前記居室親機が呼び出される際に、前記集中棟が前記棟制御機を認識するのに用いられる第一識別情報と、
前記集中棟から前記棟制御機を介して前記居室親機が呼び出される際に、前記居室親機が前記棟制御機を前記複数の端末機器とは異なる仮想の端末機器として認識するのに用いられる第二識別情報と、を有している。【０００７】
この構成によれば、集中棟から棟制御機を介して居室親機が呼び出される際、集中棟は、住居棟の棟制御機の第一識別情報を用いて、通信対象機器として棟制御機を認識して通信することができる。この際、居室親機は、棟制御機の第二識別情報を用いて、その棟制御機を仮想の端末機器として認識することができるため、棟制御機と居室親機との間でも通信は成立する。このように、上記構成によれば、居室親機は、分散型のインターホンシステムに用いられる棟制御機とも通信することができるため、分散型のインターホンシステムでも兼用することができる。【０００８】
また、本発明のインターホンシステムにおいて、
前記棟制御機は、インターホン回線を介して自棟内の前記各居室の居室親機と前記複数の端末機器とを通信可能に接続するように構成されており、
前記複数の住居棟及び前記集中棟は、汎用プロトコルに従って通信が行われるネットワークを介して互いに接続されていてもよい。【０００９】
この構成によれば、集中棟から棟制御機を介して居室親機が呼び出される際、集中棟と住居棟の棟制御機とは、汎用プロトコルに従って通信が行われるネットワークを介して、第一識別情報を用いて互いに接続されて通信することができる。また、この際、住居棟の棟制御機と居室親機とは、インターホン回線を介して、第二識別情報を用いて互いに接続されて通信することができる。【００１０】
また、本発明のインターホンシステムにおいて、
前記複数の住居棟の各々の前記棟制御機は、
自棟内の前記インターホン回線を通信可能な信号を、前記汎用プロトコルに従って前記ネットワークで通信可能な信号に変換処理する第一変換部と、
前記汎用プロトコルに従って前記ネットワークで通信可能な信号を、自棟内の前記インターホン回線で通信可能な信号に変換処理する第二変換部と、
を有していてもよい。【００１１】
この構成によれば、各住居棟のインターホン回線で異なる信号方式が使用されていたとしても、汎用プロトコルに従って通信が行われるネットワークを介して一つのシステムとして構成することができる。【００１２】
また、本発明のインターホンシステムにおいて、
前記複数の端末機器は、集合玄関機を含み、
前記第二識別情報は、前記集中棟から前記棟制御機を介して前記居室親機が呼び出される際に、前記居室親機が前記棟制御機を前記集合玄関機とは異なる仮想の集合玄関機として認識するのに用いられてもよい。【００１３】
この構成によれば、集中棟から住居棟の棟制御機を介して居室親機が呼び出される際、棟制御機は、仮想の集合玄関機として居室親機と通信することができる。【００１４】
また、本発明のインターホンシステムにおいて、
前記複数の端末機器は、管理室親機を含み、
前記棟制御機は、前記集中棟から前記棟制御機を介して前記管理室親機が呼び出される際に、前記管理室親機が前記棟制御機を前記管理室親機とは異なる仮想の管理室親機として認識するのに用いられる第三識別情報を有していてもよい。【００１５】
この構成によれば、集中棟から住居棟の棟制御機を介して管理室親機が呼び出される際、棟制御機は、仮想の管理室親機として現実の管理室親機と通信することができる。【００１６】
また、本発明の棟制御機は、
前記インターホンシステムにおける前記第一識別情報および前記第二識別情報を有する。【００１７】
この構成によれば、居室親機を、集中型のインターホンシステムと分散型のインターホンシステムとで兼用することができるため、インターホン導入時だけでなくリニューアル時にもコスト的に望ましく、また、居室親機の商品種別数が増えることを抑制することができる。
【発明の効果】
【００１８】
本発明の棟制御機およびインターホンシステムによれば、従来の居室親機を分散型のインターホンシステムでも兼用することができる。
【図面の簡単な説明】
【００１９】
【図１】本発明の実施形態に係るインターホンシステムの構成図である。
【図２】集合玄関機の機能ブロック図である。
【図３】棟制御部の機能ブロック図である。
【図４】棟制御機の機能ブロック図である。
【図５】集中制御部の機能ブロック図である。
【図６】住居Ａ棟〜住居Ｅ棟の棟制御部に記憶されている居室親機の呼出テーブルを示す図である。
【図７】住居Ａ棟〜住居Ｅ棟の棟制御部に記憶されている管理室親機の呼出テーブルを示す図である。
【発明を実施するための形態】
【００２０】
以下、本実施形態の一例について、図面を参照して説明する。
図１に示すように、インターホンシステム１は、複数の住居棟（本例では住居Ａ棟〜住居Ｅ棟）と、これらの住居棟に入る前に通過する集中棟５とで構成される例えばマンション等の集合住宅に用いられるシステムである。住居Ａ棟〜住居Ｅ棟の各々の棟は、集合玄関機１０Ａ〜１０Ｄ（端末機器の一例）と、管理室親機２０（端末機器の一例）と、居室親機３０と、棟制御部４０とを備えている。集中棟５は、集中集合玄関機５０Ａ〜５０Ｅと、集中管理室親機６０Ａ，６０Ｂと、集中制御部７０とを備えている。なお、本例の図１では、住居Ａ棟のみに上記各構成を示している。各住居棟同士および各住居棟と集中棟５とは、汎用プロトコルに従って通信が行われるネットワークＮ（本例では、ＬＡＮ：Local Area Network）を介して互いに接続されている。
【００２１】
集合玄関機１０Ａ〜１０Ｄは、住居棟の玄関や共用スペース等に設置されている。各集合玄関機１０Ａ〜１０Ｄには、その玄関機を特定する情報（例えば集合玄関機ＩＤ：identification）が記憶されている。集合玄関機１０Ａ〜１０Ｄは、インターホン回線（専用線）Ｌ１を介して棟制御部４０と通信可能に接続されている。なお、本例の図１では、４台の集合玄関機（集合玄関機１０Ａ〜１０Ｄ）が棟制御部４０に接続されているが、接続される台数はこの台数に限定されない。
【００２２】
集合玄関機１０Ａ〜１０Ｄは、例えば自棟内の居室親機３０や自棟内の管理室親機２０を呼び出すことができるように構成されている。また、集合玄関機１０Ａ〜１０Ｄは、例えば訪問者の映像を撮像することができるように構成されている。
集合玄関機としては、例えば集合玄関機１０Ａに示されるように、部屋番号をテンキーで入力する方式のもの、集合玄関機１０Ｂに示されるように、名称と対応づけられている専用ボタンを押下する方式のもの、集合玄関機１０Ｃ，１０Ｄに示されるように、テンキーと専用ボタンの両方式を可能とするもの等がある。
【００２３】
管理室親機２０は、住居棟の管理室に設置されている。管理室親機２０は、操作部２０１、通話部２０２、表示部２０３等を備えている。管理室親機２０には、その管理機を特定する情報（例えば管理室親機ＩＤ）が記憶されている。管理室親機２０は、インターホン回線Ｌ２を介して棟制御部４０と通信可能に接続されている。なお、棟制御部４０に接続される管理室親機の台数は、複数台となりうる。
【００２４】
管理室親機２０は、例えば自棟内の居室親機３０を呼び出すことができるように構成されている。また、管理室親機２０は、自棟内の集合玄関機１０Ａ〜１０Ｄや自棟内の居室親機３０からの呼び出しに応答することができるように構成されている。また、管理室親機２０は、集中棟５の集中集合玄関機５０Ａ〜５０Ｅや集中管理室親機６０Ａ，６０Ｂを呼び出すことができるように構成されている。さらに、管理室親機２０は、集中棟５の集中集合玄関機５０Ａ〜５０Ｅや集中管理室親機６０Ａ，６０Ｂからの呼び出しに応答することができるように構成されている。
【００２５】
居室親機３０は、集合住宅の各住戸内に設置されている。居室親機３０は、表示部３０１、操作部３０２、通話部３０３等を備えている。各居室親機３０には、その居室機を特定する情報（例えば居室親機ＩＤ）が記憶されている。居室親機３０は、インターホン回線Ｌ３を介して棟制御部４０と通信可能に接続されている。
【００２６】
居室親機３０は、例えば自棟内の集合玄関機１０Ａ〜１０Ｄや自棟内の管理室親機２０を呼び出すことができるように構成されている。また、居室親機３０は、自棟内の集合玄関機１０Ａ〜１０Ｄや自棟内の管理室親機２０からの呼び出しに応答することができるように構成されている。また、居室親機３０は、集中棟５の集中集合玄関機５０Ａ〜５０Ｅや集中管理室親機６０Ａ，６０Ｂを呼び出すことができるように構成されている。また、居室親機３０は、集中棟５の集中集合玄関機５０Ａ〜５０Ｅや集中管理室親機６０Ａ，６０Ｂからの呼び出しに応答することができるように構成されている。さらに、居室親機３０は、他棟の居室親機３０を呼び出すことができるように構成されている。
【００２７】
棟制御部４０は、インターホン回線を介して接続されている自棟内の集合玄関機１０Ａ〜１０Ｄ、管理室親機２０、及び居室親機３０との間の通信等を制御している。また、棟制御部４０は、ネットワークＮを介して接続されている他の住居棟（本例では住居Ｂ棟〜住居Ｅ棟）の棟制御部４０、及び集中棟５の集中制御部７０との間の通信等を制御している。棟制御部４０の棟制御機は、その制御機を特定する情報（例えば棟制御機ＩＤ（第一識別情報の一例））を有している。また、棟制御部４０の棟制御機は、棟制御機が自棟内の集合玄関機１０Ａ〜１０Ｄとは異なる自棟内の仮想の集合玄関機（本例の図１では第５番目の集合玄関機）に成りすますための情報（例えば集合玄関機ＩＤ（第二識別情報の一例））を有している。さらに、棟制御機は、棟制御機が自棟内の管理室親機２０とは異なる自棟内の仮想の管理室親機（本例の図１では第２番目の管理室親機）に成りすますための情報（例えば管理室親機ＩＤ（第三識別情報の一例））を有している。
【００２８】
集中集合玄関機５０Ａ〜５０Ｅは、集中棟５の玄関や共用スペース等に設置されている。集中集合玄関機５０Ａ〜５０Ｅは、呼出部５０１、表示部５０２、カメラ５０３、通話部５０４等を備えている。各集中集合玄関機５０Ａ〜５０Ｅには、その玄関機を特定する情報（例えば集中集合玄関機ＩＤ）が記憶されている。集中集合玄関機５０Ａ〜５０Ｅは、インターホン回線Ｌ４を介して集中制御部７０と通信可能に接続されている。なお、本例では、５台の集中集合玄関機が集中制御部７０に接続されているが、接続される台数はこの台数に限定されない。
【００２９】
集中集合玄関機５０Ａ〜５０Ｅは、例えば各住居棟の居室親機３０や管理室親機２０を呼び出すことができるように構成されている。また、集中集合玄関機５０Ａ〜５０Ｅは、集中管理室親機６０Ａ，６０Ｂを呼び出すことができるように構成されている。また、集中集合玄関機５０Ａ〜５０Ｅは、住居棟の居室親機３０や管理室親機２０からの呼び出しに応答することができるように構成されている。また、集中集合玄関機５０Ａ〜５０Ｅは、例えば訪問者の映像を撮像することができるように構成されている。
【００３０】
集中管理室親機６０Ａ，６０Ｂは、集中棟５の管理室に設置されている。集中管理室親機６０Ａ，６０Ｂは、操作部６０１、通話部６０２、表示部６０３等を有している。各集中管理室親機６０Ａ，６０Ｂには、その管理機を特定する情報（例えば集中管理室親機ＩＤ）が記憶されている。集中管理室親機６０Ａ，６０Ｂは、インターホン回線Ｌ５を介して集中制御部７０と通信可能に接続されている。なお、本例では、２台の集中管理室親機が集中制御部７０に接続されているが、接続される台数はこの台数に限定されない。
【００３１】
集中管理室親機６０Ａ，６０Ｂは、例えば各住居棟の居室親機３０や管理室親機２０を呼び出すことができるように構成されている。また、集中管理室親機６０Ａ，６０Ｂは、集中集合玄関機５０Ａ〜５０Ｅからの呼び出しに応答することができるように構成されている。また、集中管理室親機６０Ａ，６０Ｂは、住居棟の管理室親機２０や居室親機３０からの呼び出しに応答することができるように構成されている。
【００３２】
集中制御部７０は、インターホン回線を介して接続されている集中集合玄関機５０Ａ〜５０Ｅ、及び集中管理室親機６０Ａ，６０Ｂとの間の通信等を制御している。また、集中制御部７０は、ネットワークＮを介して接続されている各住居棟の棟制御部４０との間の通信等を制御している。
【００３３】
図２に示すように、集合玄関機１０Ａ〜１０Ｄは、呼出部１０１と、記憶部１０２と、カメラ１０３と、集合玄関表示部１０４と、通話部１０５と、集合玄関機ＣＰＵ１０６と、集合玄関機インターフェース（以下、インターフェースをＩ／Ｆと称する）１０７とを備えている。
【００３４】
呼出部１０１は、訪問者等が訪問先の居室親機３０や管理室の管理室親機２０を呼び出す際に操作される。呼出部１０１は、呼出先を入力するための入力ボタン（テンキーや専用ボタン等）１１１や、入力ボタンを操作した後に操作される呼出ボタン１１２等を有する。記憶部１０２には、自棟内における各居室の部屋番号と、各居室の居住者の氏名や各居室の名称（例えばテナント名等）と、各居室の居室親機３０を特定する居室親機ＩＤとが対応づけられた呼出テーブルが記憶されている。カメラ１０３は、集合玄関機１０Ａ〜１０Ｄを操作する訪問者等を撮像する。集合玄関表示部１０４は、呼出部１０１から入力される部屋番号や、訪問者に対するメッセージや、カメラ１０３が撮像している訪問者の映像等が表示される。通話部１０５は、居住者や管理人と通話するためのマイク及びスピーカで構成されている。
【００３５】
集合玄関機ＣＰＵ１０６は、集合玄関機１０Ａ〜１０Ｄを構成する各部の動作を制御するための処理を行う。例えば、集合玄関機ＣＰＵ１０６は、部屋番号や名称が入力されると、呼出テーブルに基づいて、入力された信号を呼出先の居室親機３０の居室親機ＩＤに変換する。集合玄関機Ｉ／Ｆ１０７は、集合玄関機ＣＰＵ１０６とインターホン回線Ｌ１間における双方向の信号伝送路を形成する。
【００３６】
なお、図示は省略するが、管理室親機２０も集合玄関機１０Ａ〜１０Ｄと同様に、呼出テーブルが記憶された記憶部を有しており、操作部２０１に部屋番号等の信号が入力されると、呼出テーブルに基づいて変換された居室親機ＩＤを自棟内の各居室親機に向けて送信するように構成されている。
【００３７】
図３に示すように、棟制御部４０は、棟制御機４１０と、映像制御機４２０と、オーディオ制御機４３０と、棟制御部Ｉ／Ｆ４４０とを備えている。また、図４に示すように、棟制御機４１０は、棟記憶部４１１と、棟制御機ＣＰＵ４１２と、信号変換部４１３とを備えている。
【００３８】
棟制御機４１０の棟記憶部４１１には、自棟における各居室の部屋番号と、各居室の居住者の氏名や各居室の名称（例えばテナント名等）と、各居室の居室親機３０を特定する居室親機ＩＤとが対応づけられた呼出テーブル４１１ａが記憶されている。また、棟記憶部４１１には、自棟の管理室番号と、管理室親機２０を特定する管理室親機ＩＤとが対応づけられた呼出テーブル４１１ｂが記憶されている。また、棟記憶部４１１には、各住居棟の棟制御機４１０を特定する棟制御機ＩＤ４１１ｃと、棟制御機４１０が自棟内の集合玄関機１０Ａ〜１０Ｄとは異なる仮想の集合玄関機に成りすますための集合玄関機ＩＤ４１１ｄと、棟制御機４１０が自棟内の管理室親機２０とは異なる仮想の管理室親機に成りすますための管理室親機ＩＤ４１１ｅとが記憶されている。また、棟記憶部４１１には、集中棟５の集中集合玄関機５０Ａ〜５０Ｅを特定する集中集合玄関機ＩＤと、集中管理室親機６０Ａ，６０Ｂを特定する集中管理室親機ＩＤとが記憶されている。
【００３９】
棟制御機ＣＰＵ４１２は、棟制御機４１０を構成する各部の動作を制御するための処理を行う。例えば、棟制御機ＣＰＵ４１２は、部屋番号や名称を呼び出す信号が集中棟５から送信されてくると、呼出テーブルに基づいて、送信されてきた信号を呼出先の居室親機３０の居室親機ＩＤに変換する。また、棟制御機ＣＰＵ４１２は、管理室親機を呼び出す信号が集中棟５から送信されてくると、呼出テーブルに基づいて、送信されてきた信号を呼出先の管理室親機２０の管理室親機ＩＤに変換する。
【００４０】
信号変換部４１３は、インターホン回線Ｌ１〜Ｌ３で使用される信号とネットワークＮで使用される信号とを相互に変換処理するための回路である。信号変換部４１３は、アナログデジタル変換部４１３Ａ（第一変換部の一例）と、デジタルアナログ変換部４１３Ｂ（第二変換部の一例）とを有する。アナログデジタル変換部４１３Ａ（以下、アナログデジタルをＡ／Ｄと称する）は、各々の住宅棟内におけるインターホン回線Ｌ１〜Ｌ３で通信可能なアナログ信号を、各住居棟間及び住居棟と集中棟間におけるネットワークＮで通信可能なデジタル信号に変換する。一方、デジタルアナログ変換部４１３Ｂ（以下、デジタルアナログをＤ／Ａと称する）は、各住居棟間及び住居棟と集中棟間におけるネットワークＮで通信可能なデジタル信号を、各々の住宅棟内におけるインターホン回線で通信可能なアナログ信号に変換する。
【００４１】
映像制御機４２０は、集合玄関機１０Ａ〜１０Ｄのカメラ１０３で撮像された映像信号や、集中棟５から送信されてきた映像信号を信号処理するとともに、処理した映像信号を自棟内の各居室親機３０、あるいは管理室親機２０に向けて送信する。オーディオ制御機４３０は、集合玄関機１０Ａ〜１０Ｄ、管理室親機２０、及び集中棟５からの音声信号を音声処理するとともに、処理した音声信号を自棟内の各居室親機３０、あるいは管理室親機２０に向けて送信する。棟制御部Ｉ／Ｆ４４０は、棟制御機４１０、映像制御機４２０、及びオーディオ制御機４３０とインターホン回線Ｌ１〜Ｌ３間における双方向の信号伝送路を形成する。
【００４２】
図５に示すように、集中制御部７０は、集中制御機７１０と、映像制御機７２０と、オーディオ制御機７３０と、集中制御部Ｉ／Ｆ７４０とを備えている。また、集中制御機７１０は、Ａ／Ｄ変換部７１１と、Ｄ／Ａ変換部７１２とを備えている。
【００４３】
集中制御機７１０のＡ／Ｄ変換部７１１は、集中棟５内におけるインターホン回線Ｌ４，Ｌ５で通信可能なアナログ信号を、集中棟５と各住居棟間におけるネットワークＮで通信可能なデジタル信号に変換する。一方、Ｄ／Ａ変換部７１２は、集中棟５と各住居棟間におけるネットワークＮで通信可能なデジタル信号を、集中棟５内におけるインターホン回線Ｌ４，Ｌ５で通信可能なアナログ信号に変換する。
【００４４】
映像制御機７２０は、集中集合玄関機５０Ａ〜５０Ｅのカメラ５０３で撮像された映像信号を信号処理するとともに、処理した映像信号を各住居棟の棟制御機４１０に向けて送信する。オーディオ制御機７３０は、集中集合玄関機５０Ａ〜５０Ｅの通話部５０４からの音声信号や、集中管理室親機６０Ａ，６０Ｂの通話部６０２からの音声信号を音声処理するとともに、処理した音声信号を各住居棟の棟制御機４１０に向けて送信する。集中制御部Ｉ／Ｆ７４０は、集中制御機７１０、映像制御機７２０、及びオーディオ制御機７３０とインターホン回線Ｌ４，Ｌ５間における双方向の信号伝送路を形成する。
【００４５】
次に、インターホンシステム１の動作について図６，図７を参照しつつ説明する。
＜動作例１＞
本例では、住居Ａ棟の１０１号室の居室親機３０が呼び出される場合の動作を一例として、以下、説明する。
【００４６】
集中棟５に設置されている集中集合玄関機５０Ａ〜５０Ｅの中の例えば集中集合玄関機５０Ａから呼出部５０１を介して、住居棟の棟符号「Ａ」に部屋番号「１０１」を加えた「Ａ１０１」が入力され、呼出ボタンが押下される。入力された「Ａ１０１」は、インターホン回線Ｌ４を介して集中制御部７０へ呼出信号「Ａ１０１」として送信される。なお、送信される呼出信号「Ａ１０１」には、送信元の集中集合玄関機５０Ａを特定する集中集合玄関機ＩＤが付加される。
【００４７】
集中制御部７０の集中制御機７１０は、Ａ／Ｄ変換部７１１により、インターホン回線で通信可能なアナログ信号である呼出信号「Ａ１０１」を、ネットワークＮで通信可能なデジタル信号の呼出信号「Ａ１０１」に変換する。集中制御部７０は、変換された呼出信号「Ａ１０１」をネットワークＮを経由して全ての住居棟（住居Ａ棟〜住居Ｅ棟）に向けて送信する。なお、送信される呼出信号「Ａ１０１」には上記同様に集中集合玄関機ＩＤが付加される。
【００４８】
各住居棟の棟制御機４１０は、棟制御機４１０のＤ／Ａ変換部４１３Ｂにより、集中棟５から送信されてきた呼出信号「Ａ１０１」をアナログ信号に変換する。棟制御機４１０の棟制御機ＣＰＵ４１２は、その呼出信号「Ａ１０１」が自棟に向けて送信されてきた呼出信号であるか否かを判別する。この場合、住居Ａ棟の棟制御機ＣＰＵ４１２が自棟への呼出信号であると判断する。住居Ａ棟の棟制御機ＣＰＵ４１２は、判断した旨を表す返信信号をネットワークＮを経由して集中棟５へ送信する。この際、住居Ａ棟の棟制御機４１０であることを特定する棟制御機ＩＤ４１１ｃが返信信号に付加される。この返信信号は、Ａ／Ｄ変換部４１３Ａでデジタル信号に変換されて送信される。
【００４９】
返信信号を受信した集中棟５の集中制御部７０は、付加されている棟制御機ＩＤ４１１ｃを検出して、返信信号を送ってきた棟制御機が住居Ａ棟の棟制御機４１０であることを認識する。集中制御部７０は、住居Ａ棟に向けて、再度、呼出信号「Ａ１０１」をネットワークＮを経由して送信する。
【００５０】
住居Ａ棟の棟制御機４１０は、受信した呼出信号「Ａ１０１」を上記と同様にＤ／Ａ変換部４１３Ｂでアナログ信号に変換する。続いて、棟制御機４１０の棟制御機ＣＰＵ４１２は、呼出信号「Ａ１０１」を棟記憶部４１１に記憶されている呼出テーブル４１１ａ（図６参照）に基づいて、呼出先の居室親機３０を特定する居室親機ＩＤである例えば「Ｓ１」という呼出信号に変換する。また、棟制御機ＣＰＵ４１２は、呼出信号「Ａ１０１」に付加されている集中集合玄関機ＩＤを検出し、呼出信号「Ａ１０１」の送信元が集中集合玄関機５０Ａであることを認識する。そして、棟制御機ＣＰＵ４１２は、呼出先の居室親機３０とインターホン回線を介して通信を行うために、自棟内の集合玄関機１０Ａ〜１０Ｄとは異なる仮想の集合玄関機に成りすますことを決定する。
【００５１】
棟制御機ＣＰＵ４１２は、仮想の集合玄関機に成りすますための集合玄関機ＩＤ４１１ｄを呼出信号「Ｓ１」に付加し、その呼出信号「Ｓ１」を棟制御部Ｉ／Ｆ４４０からインターホン回線Ｌ３を介して住居Ａ棟内の全ての居室親機３０に向けて送信する。なお、この場合、集中集合玄関機５０Ａのカメラ５０３で撮像された訪問者の映像も呼出信号「Ｓ１」に添付される。
【００５２】
呼出信号「Ｓ１」を受信した各居室親機３０は、「Ｓ１」が自機に記憶されている居室親機ＩＤと一致するか否か判別する。一致していると判別した１０１号室の居室親機３０は、呼出信号「Ｓ１」に付加されている集合玄関機ＩＤ４１１ｄを検出し、呼出信号「Ｓ１」を送ってきた相手が自棟内の集合玄関機１０Ａ〜１０Ｄとは異なる仮想の集合玄関機であると認識する。居室親機３０は、自棟内の集合玄関機１０Ａ〜１０Ｄと通信する場合と同じように、インターホン回線を介して仮想の集合玄関機である棟制御機４１０と通信を行う。
【００５３】
１０１号室の居室親機３０では、通話部３０３のスピーカから呼出音が出力されるとともに呼出ランプが点灯して、集中集合玄関機からの呼び出しであることを報知する。例えば、居室親機３０が５種類の呼出ランプ１〜５を有する構成である場合、呼出ランプ１〜４が集合玄関機１０Ａ〜１０Ｄの呼び出しをそれぞれ報知し、呼出ランプ５が集中集合玄関機からの呼び出しを報知する。また、表示部３０１には訪問者の映像が表示される。１０１号室の居住者によって居室親機３０の通話ボタンが押下されると、居室親機３０から仮想の集合玄関機を介して集中棟５へ応答を了承する通話信号が返信されて、居室親機３０と集中集合玄関機５０Ａとの間の信号通信が可能となり、例えば通話可能となる。
【００５４】
なお、集中棟５の集中管理室親機６０Ａ，６０Ｂから住居棟の居室親機３０が呼び出される場合も上記集中集合玄関機５０Ａから呼び出された場合と同様に、棟制御機ＣＰＵ４１２は仮想の集合玄関機に成りすまして動作する。
【００５５】
＜動作例２＞
次に、住居Ａ棟の管理室親機２０が呼び出される場合、インターホンシステム１は以下のように動作する。
【００５６】
集中棟５の例えば集中集合玄関機５０Ａから呼出部５０１を介して、住居Ａ棟の管理室番号である例えば「Ａ２０」が入力され、呼出ボタンが押下される。入力された「Ａ２０」は、インターホン回線Ｌ５を介して集中制御部７０へ呼出信号「Ａ２０」として送信される。なお、送信される呼出信号「Ａ２０」には、送信元の集中集合玄関機５０Ａを特定する集中集合玄関機ＩＤが付加される。
【００５７】
集中制御部７０の集中制御機７１０は、上記動作例１と同様に、Ａ／Ｄ変換部７１１により、アナログ信号の呼出信号「Ａ２０」をデジタル信号の呼出信号「Ａ２０」に変換する。集中制御部７０は、変換された呼出信号「Ａ２０」をネットワークＮを経由して全ての住居棟（住居Ａ棟〜住居Ｅ棟）に向けて送信する。なお、送信される呼出信号「Ａ２０」には上記同様に集中集合玄関機ＩＤが付加される。
【００５８】
各住居棟の棟制御機４１０は、上記動作例１と同様に、Ｄ／Ａ変換部４１３Ｂにより、集中棟５からの呼出信号「Ａ２０」をアナログ信号に変換する。棟制御機４１０の棟制御機ＣＰＵ４１２は、その呼出信号「Ａ２０」が自棟に向けて送信されてきた呼出信号であるか否かを判別する。自棟への呼出信号であると判断した住居Ａ棟の棟制御機ＣＰＵ４１２は、判断した旨を表す返信信号をネットワークＮを経由して集中棟５へ送信する。この際、住居Ａ棟の棟制御機４１０であることを特定する棟制御機ＩＤ４１１ｃが返信信号に付加される。この返信信号は、Ａ／Ｄ変換部４１３Ａでデジタル信号に変換されて送信される。
【００５９】
返信信号を受信した集中棟５の集中制御部７０は、付加されている棟制御機ＩＤ４１１ｃを検出して、返信信号を送ってきた棟制御機が住居Ａ棟の棟制御機４１０であることを認識する。集中制御部７０は、住居Ａ棟に向けて、再度、呼出信号「Ａ２０」をネットワークＮを経由して送信する。
【００６０】
住居Ａ棟の棟制御機４１０は、受信した呼出信号「Ａ２０」を上記と同様にＤ／Ａ変換部４１３Ｂでアナログ信号に変換する。棟制御機４１０の棟制御機ＣＰＵ４１２は、呼出信号「Ａ２０」を棟記憶部４１１の呼出テーブル４１１ｂ（図７参照）に基づいて、呼出先の管理室親機２０を特定する管理室親機ＩＤである例えば「Ｖ１」という呼出信号に変換する。また、棟制御機ＣＰＵ４１２は、呼出信号「Ａ２０」に付加されている集中集合玄関機ＩＤを検出し、呼出信号「Ａ２０」の送信元が集中集合玄関機５０Ａであることを認識する。そして、棟制御機ＣＰＵ４１２は、呼出先の管理室親機２０とインターホン回線を介して通信を行うために、自棟内の管理室親機２０とは異なる仮想の管理室親機に成りすますことを決定する。
【００６１】
棟制御機ＣＰＵ４１２は、仮想の管理室親機に成りすますための管理室親機ＩＤ４１１ｅを呼出信号「Ｖ１」に付加し、その呼出信号「Ｖ１」をインターホン回線Ｌ２を介して住居Ａ棟の管理室親機２０に向けて送信する。なお、この場合、集中集合玄関機５０Ａのカメラ５０３で撮像された訪問者の映像も呼出信号「Ｖ１」に添付される。
【００６２】
呼出信号「Ｖ１」を受信した管理室親機２０は、「Ｖ１」が自機に記憶されている管理室親機ＩＤと一致するか否か判別する。一致していると判別した管理室親機２０は、呼出信号「Ｖ１」に付加されている管理室親機ＩＤ４１１ｅを検出し、呼出信号「Ｖ１」を送ってきた相手が自棟内の管理室親機とは異なる仮想の管理室親機であると認識する。管理室親機２０は、自棟内の管理室親機同士で通信する場合と同じように、インターホン回線を介して仮想の管理室親機である棟制御機４１０と通信を行う。
【００６３】
管理室親機２０では、呼出音が出力されるとともに呼出ランプが点灯して、集中集合玄関機からの呼び出しであることを報知する。また、表示部２０３には訪問者の映像が表示される。管理室親機２０の通話ボタンが押下されると、管理室親機２０と集中集合玄関機５０Ａとの間の信号通信が可能となり、例えば通話可能となる。
【００６４】
なお、集中棟５の集中管理室親機６０Ａ，６０Ｂから住居棟の管理室親機２０が呼び出される場合も上記集中集合玄関機５０Ａから呼び出された場合と同様に、棟制御機ＣＰＵ４１２は仮想の管理室親機に成りすまして動作する。
【００６５】
＜動作例３＞
ある住居棟の居室親機３０（本例では、住居Ｂ棟の１０３号室の居室親機３０）から他の住居棟の居室親機３０（本例では、住居Ａ棟の１０１号室居室親機３０）が呼び出される場合、インターホンシステム１は以下のように動作する。
【００６６】
住居Ｂ棟の１０３号室の居室親機３０から操作部３０２を介して、「Ａ１０１」と入力され呼出ボタンが押下される。入力された「Ａ１０１」は、インターホン回線Ｌ３を介して棟制御機４１０へ呼出信号「Ａ１０１」として送信される。なお、送信される呼出信号「Ａ１０１」には、送信元である住居Ｂ棟の１０３号室の居室親機３０を特定する居室親機ＩＤが付加される。
【００６７】
住居Ｂ棟の棟制御機４１０は、呼出信号「Ａ１０１」を住居Ａ棟へ送信するために、棟制御機４１０のＡ／Ｄ変換部４１３Ａにより、アナログ信号の呼出信号「Ａ１０１」を、デジタル信号の呼出信号「Ａ１０１」に変換する。棟制御機４１０は、変換された呼出信号「Ａ１０１」をネットワークＮを経由して、先ず、他の全ての住居棟（住居Ａ棟，住居Ｃ棟〜住居Ｅ棟）に向けて送信する。
【００６８】
Ｂ棟以外の各住居棟の棟制御機４１０は、住居Ｂ棟からの呼出信号「Ａ１０１」を、Ｄ／Ａ変換部４１３Ｂでアナログ信号に変換する。棟制御機４１０の棟制御機ＣＰＵ４１２は、その呼出信号「Ａ１０１」が自棟に向けて送信されてきた呼出信号であるか否かを判別する。自棟への呼出信号であると判断した住居Ａ棟の棟制御機ＣＰＵ４１２は、判断した旨を表す返信信号を住居Ｂ棟へ送信する。この際、住居Ａ棟の棟制御機４１０であることを特定する棟制御機ＩＤ４１１ｃが返信信号に付加される。この返信信号は、Ａ／Ｄ変換部４１３Ａでデジタル信号に変換されて送信される。
【００６９】
返信信号を受信した住居Ｂ棟の棟制御機４１０は、付加されている棟制御機ＩＤ４１１ｃを検出して、返信信号を送ってきた棟制御機が住居Ａ棟の棟制御機４１０であることを認識する。住居Ｂ棟の棟制御部４０は、住居Ａ棟に向けて、再度、呼出信号「Ａ１０１」を送信する。
【００７０】
住居Ａ棟の棟制御機４１０は、受信した呼出信号「Ａ１０１」をＤ／Ａ変換部４１３Ｂでアナログ信号に変換する。棟制御機４１０の棟制御機ＣＰＵ４１２は、呼出信号「Ａ１０１」を棟記憶部４１１の呼出テーブル４１１ａ（図６参照）に基づいて、呼出先の居室親機３０を特定する居室親機ＩＤである例えば「Ｓ１」という呼出信号に変換する。そして、棟制御機ＣＰＵ４１２は、呼出先の居室親機３０とインターホン回線を介して通信を行うために、自棟内の例えば集合玄関機１０Ａ〜１０Ｄとは異なる仮想の集合玄関機に成りすますことを決定する。なお、棟制御機ＣＰＵ４１２は、自棟内の例えば管理室親機２０とは異なる仮想の管理室親機に成りすますようにしてもよい。
【００７１】
住居Ａ棟の棟制御機ＣＰＵ４１２は、仮想の集合玄関機に成りすますための集合玄関機ＩＤ４１１ｄを付加した呼出信号「Ｓ１」を、インターホン回線Ｌ３を介して住居Ａ棟内の全ての居室親機３０に向けて送信する。
【００７２】
呼出信号「Ｓ１」を受信した各居室親機３０は、「Ｓ１」が自機に記憶されている居室親機ＩＤと一致するか否か判別する。一致していると判別した１０１号室の居室親機３０は、呼出信号「Ｓ１」に付加されている集合玄関機ＩＤ４１１ｄを検出し、呼出信号「Ｓ１」を送ってきた相手が自棟内の集合玄関機１０Ａ〜１０Ｄとは異なる仮想の集合玄関機であると認識する。居室親機３０は、自棟内の集合玄関機１０Ａ〜１０Ｄと通信する場合と同じように、インターホン回線を介して仮想の集合玄関機である棟制御機４１０と通信を行う。なお、１０１号室の居室親機３０では、呼出音の出力、呼出ランプの点灯、および表示部３０１への文字表示により、住居Ｂ棟の１０３号室からの呼び出しであることが報知される。
【００７３】
一方、住居Ｂ棟の棟制御機４１０は、呼出元の１０３号室の居室親機３０とインターホン回線を介して通信を行うために、自棟内の例えば集合玄関機１０Ａ〜１０Ｄとは異なる仮想の集合玄関機に成りすますことを決定する。なお、棟制御機４１０は、自棟内の例えば管理室親機２０とは異なる仮想の管理室親機に成りすますようにしてもよい。
棟制御機４１０の棟制御機ＣＰＵ４１２は、仮想の集合玄関機に成りすますための集合玄関機ＩＤ４１１ｄをインターホン回線Ｌ３を介して１０３号室の居室親機３０に向けて送信する。
【００７４】
１０３号室の居室親機３０は、集合玄関機ＩＤ４１１ｄを検出し、現在接続されている相手が自棟内の集合玄関機１０Ａ〜１０Ｄとは異なる仮想の集合玄関機であると認識する。居室親機３０は、自棟内の集合玄関機１０Ａ〜１０Ｄと通信する場合と同じように、インターホン回線を介して仮想の集合玄関機である棟制御機４１０と通信を行う。
これにより、棟制御機４１０を介して住居Ｂ棟の居室親機３０と住居Ａ棟の居室親機３０との間の通信が成立する。
【００７５】
ところで、多棟で構成される集合住宅において、集中型のインターホンシステムに用いられている居室親機は、自棟内の集合玄関機や管理室親機とは相互に通信を行うことができるように構成されている。しかしながら、この居室親機を分散型のインターホンシステムに用いようとすると、居室親機は、各棟に設けられている棟制御機を認識することができないため棟制御機との間の通信を行うことができなかった。
【００７６】
これに対して、上記のような構成のインターホンシステム１によれば、集中棟５から棟制御機４１０を介して居室親機３０が呼び出される際、集中棟５は、住居棟の棟制御機４１０の棟制御機ＩＤ４１１ｃを用いて、通信対象機器として棟制御機を認識して通信することができる。一方、この際、居室親機３０は、棟制御機４１０の集合玄関機ＩＤ４１１ｄを用いて、その棟制御機４１０を仮想の集合玄関機として認識することができるため、棟制御機４１０と居室親機３０との間でも通信は成立する。同様に、集中棟５から棟制御機４１０を介して管理室親機２０が呼び出される際、管理室親機２０は、棟制御機４１０の管理室親機ＩＤ４１１ｅを用いて、その棟制御機４１０を仮想の管理室親機として認識することができるため、棟制御機４１０と管理室親機２０との間でも通信は成立する。さらに、居室親機３０から棟制御機４１０を介して他棟の居室親機３０が呼び出される際も同様である。このように、従来と同じ構成の居室親機３０を分散型のインターホンシステムに用いられる棟制御機４１０とも通信できるようにすることができる。
【００７７】
また、集中棟５から棟制御機４１０を介して居室親機３０（管理室親機２０）が呼び出される際、集中棟５と住居棟の棟制御機４１０とは、汎用プロトコルに従って通信が行われるネットワークＮを介して、棟制御機ＩＤを用いて互いに接続されて通信することができる。また、この際、住居棟の棟制御機４１０と居室親機３０（管理室親機２０）とは、インターホン回線Ｌ３（Ｌ２）を介して、集合玄関機ＩＤ（管理室親機ＩＤ）を用いて互いに接続されて通信することができる。
【００７８】
また、各住居棟の棟制御機４１０には、インターホン回線で通信可能なアナログ信号とネットワークで通信可能なデジタル信号とを相互に変換可能なＡ／Ｄ変換部４１３ＡとＤ／Ａ変換部４１３Ｂとが設けられている。このため、例えば各住居棟で異なる信号方式のインターホン回線が使用されていたとしても、汎用プロトコルに従って通信が行われるネットワークＮを介して一つのシステムとして構成することができる。
【００７９】
このように、インターホンシステム１によれば、従来と同じ構成の居室親機３０を集中型のインターホンシステムと分散型のインターホンシステムとで兼用させることができる。また、上記棟制御機４１０によれば、居室親機３０を、集中型のインターホンシステムと分散型のインターホンシステムとで兼用することができるため、インターホン導入時だけでなくリニューアル時にもコスト的に望ましく、また、居室親機３０の商品種別数が増えることを抑制することができる。
【００８０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００８１】
例えば、上記動作例１で集中集合玄関機５０Ａ〜５０Ｅから居室親機３０が呼び出される場合、棟制御機４１０は、例えば仮想の管理室親機に成りすましてもよい。同様に、上記動作例２で集中集合玄関機５０Ａ〜５０Ｅから管理室親機２０が呼び出される場合、棟制御機４１０は、例えば仮想の集合玄関機に成りすましてもよい。
【符号の説明】
【００８２】
１：インターホンシステム、５：集中棟、１０Ａ〜１０Ｄ：集合玄関機（端末機器の一例）、２０：管理室親機（端末機器の一例）、３０：居室親機、４０：棟制御部、５０Ａ〜５０Ｅ：集中集合玄関機、６０Ａ，６０Ｂ：集中管理室親機、７０：集中制御部、４１０：棟制御機、４１１ｃ：棟制御機ＩＤ（第一識別情報の一例））、４１１ｄ：集合玄関機ＩＤ（第二識別情報の一例））、４１１ｅ：管理室親機ＩＤ（第三識別情報の一例））、４１３Ａ：Ａ／Ｄ変換部（第一変換部の一例）、４１３Ｂ：Ｄ／Ａ変換部（第二変換部の一例）、Ｌ１〜Ｌ５：インターホン回線、Ｎ：ネットワーク
【図１】
0006706337.tif 000002
【図２】
0006706337.tif 000003
【図３】
0006706337.tif 000004
【図４】
0006706337.tif 000005
【図５】
0006706337.tif 000006
【図６】
0006706337.tif 000007
【図７】
0006706337.tif 000008